(57)【要約】      （修正有）【課題】本発明は出隅壁又は入隅壁の角仕上げ用埋込定規において、同定規の定規縁におけるコテ滑りを良好に防止し、定規縁付近の仕上げ壁材のコテ均し作業が容易且つ適正に行えるようにする。【解決手段】未仕上げ出隅壁１又は未仕上げ入隅壁の角縁面１４に沿って延び同角縁面１４に添設される取付部３と、未仕上げ出隅壁１の角部稜線４又は未仕上げ入隅壁の角部谷線に沿って延び角部稜線又は角部谷線の前方へ突出された定規部６を有し、該定規部６の先端定規縁７を基準とする未仕上げ壁の壁面への仕上げ壁材８の塗布にて全体を仕上げ壁材内に埋設する構成を有する出隅壁又は入隅壁の角仕上げ用埋込定規において、上記定規部６に少なくともその先端定規縁７を覆う網材９を貼付する構成とした出隅壁又は入隅壁の角仕上げ用埋込定規。【選択図】図９
2006161511.tif 000002
【特許請求の範囲】
【請求項１】
未仕上げ出隅壁又は未仕上げ入隅壁の角縁面に沿って延び同角縁面に添設される取付部と、未仕上げ出隅壁の角部稜線又は未仕上げ入隅壁の角部谷線に沿って延び角部稜線又は角部谷線の前方へ突出された定規部を有し、該定規部の先端定規縁を基準とする未仕上げ壁の壁面への仕上げ壁材の塗布にて全体を仕上げ壁材内に埋設する構成を有する出隅壁又は入隅壁の角仕上げ用埋込定規において、上記定規部に少なくともその先端定規縁を覆う網材を貼付したことを特徴とする出隅壁又は入隅壁の角仕上げ用埋込定規。
【請求項２】
上記網材を上記定規部及び取付部を覆うように貼付したことを特徴とする請求項１記載の出隅壁又は入隅壁の角仕上げ用埋込定規。
【請求項３】
上記網材が編成網材から成ることを特徴とする請求項１又は２記載の出隅壁又は入隅壁の角仕上げ用埋込定規。
【請求項４】
上記網材を角仕上げ用埋込定規の合成樹脂による一体成形時に同埋込定規の母材を介し貼付したことを特徴とする請求項１又は２記載の出隅壁又は入隅壁の角仕上げ用埋込定規。
【請求項５】
上記網材の網目形成線材の周面に常粘性接着剤を塗布し、該網材を該常粘性接着剤を以って貼付したことを特徴とする請求項１又は２記載の出隅壁又は入隅壁の角仕上げ用埋込定規。
【発明の詳細な説明】
【技術分野】
【０００１】
本発明は建築物の出隅壁又は入隅壁の角仕上げに用いられる埋込定規に関する。
【背景技術】
【０００２】
この種出隅壁又は入隅壁の角仕上げ用埋込定規は、特許文献１乃至３等に示すように、未仕上げ出隅壁又は未仕上げ入隅壁の角縁面に沿って延び同角縁面に添設される取付部と、未仕上げ出隅壁の角部稜線又は未仕上げ入隅壁の角部谷線に沿って延び角部稜線又は角部谷線の前方へ突出された定規部を有し、該定規部の先端縁を定規縁とし、該定規縁を基準とする未仕上げ壁の壁面への仕上げ壁材の塗布にて全体を仕上げ壁材内に埋設する構成を有する。
【０００３】
殊に、特許文献１に示す、出隅壁の左右角縁面に跨装し添設される２枚の取付板を有し、両取付板の角部から定規部を突設した角仕上げ用埋込定規は作業性が良く、定規部による角出しが容易であることから、全国の左官業者に多用されている。
【特許文献１】特開平２−６６２５３号公報
【特許文献２】特公昭５７−２１６２５号公報
【特許文献３】実公昭５８−１４１８４号公報
【発明の開示】
【発明が解決しようとする課題】
【０００４】
上記埋込定規は仕上げ壁材のコテ塗りに当たって、出隅壁及び入隅壁の角部の直線出しと直角角出しが適正に行え、仕上げ壁材の塗布厚の設定が容易である利点を有する。
【０００５】
然るに上記埋込定規は上記利点を有する反面、同定規を使用する現場の左官業者から、上記定規部の先端定規縁を基準として仕上げ壁材をコテ塗りした場合、定規部の先端定規縁における仕上げ壁材の均し不良、ひび割れ、肌別れ等の問題を生ずることが指摘されており、その解決が課題となっている。
【０００６】
この問題は定規部の定規縁を基準にしたコテによる仕上げ壁材の塗布時に、該定規縁においてコテ滑りを生ずること、又定規部が左右仕上げ壁材の界面に介在し、先端定規縁における左右仕上げ壁材の結合を弱めていることに起因する。
【０００７】
特に特許文献１の埋込定規は定規部の先端縁に円弧形又は三角形の定規縁を設け、この定規縁を仕上げ壁材の角線に沿って延在せしめ補強する構成にしているが、この円弧形又は三角形の定規縁の表面において上記コテ滑りを生じがちである。
【課題を解決するための手段】
【０００８】
本発明は上記問題を適切に解決する出隅壁又は入隅壁の角仕上げ用埋込定規を提供するものであり、その手段として、上記取付部と定規部を有する出隅壁又は入隅壁の角仕上げ用埋込定規を合成樹脂等により一体成形すると共に、上記定規部に少なくともその先端定規縁を覆う網材を貼付し、該網材で覆われた上記定規部の先端定規縁を基準として未仕上げ壁の壁面への仕上げ壁材の塗布を行い、全体を仕上げ壁材内に埋設するようにしたものである。
【０００９】
具体例として、上記網材は上記定規部の表面全体を覆いつつ、上記取付部表面を覆うように貼付する。
【００１０】
例えば角仕上げ用埋込定規の合成樹脂による一体成形時に、上記網材を定規部及び取付部の表面に押し付けて埋込定規の母材を介し貼付する。
【００１１】
又は上記網材の網目形成線材の周面に事前に常粘性接着剤を塗布したものを用い、該網材を該常粘性接着剤を以って上記定規部及び取付部の表面に貼付する。
好ましくは上記網材として、線材を編成して網目を形成した編成網材を用いる。
【発明の効果】
【００１２】
上記定規部の先端定規縁に網材が存在することにより、コテ先に適度な制動作用が働き、上記コテ滑りを良好に防止し、定規縁付近の仕上げ壁材のコテ均し作業が容易且つ適正に行える。
【００１３】
加えて定規縁における仕上げ壁材の結合力が大幅に向上する。この結果、上記均し不良、ひび割れ、肌別れ等の問題を適切に防止できるものである。
【００１４】
ひいては定規縁の表面に仕上げ壁材を薄く塗布でき、薄く塗布してもその塗布状態を健全に維持し、埋込定規を仕上げ壁材内に完全隠蔽することができる。
【００１５】
又網材を定規部から取付部の表面を覆うように貼付することにより、定規部を境にする仕上げ壁材の定規部及び取付部との結合力を確保し、硬化後の肌別れを有効に防止する。
【００１６】
又網材を接着剤を用いて接着する場合、事前に網目形成線材の周面に常粘性接着剤を塗布した網材を用いることにより、網目が健全に維持され、仕上げ壁材の良好な食い付き効果が得られる。
【００１７】
又接着剤を用いずに上記網材を埋込定規の母材を接着媒体として貼付することにより、定規の生産性を向上する。
【００１８】
又編成網材を用いることにより、線材の交差部における凹凸によりコテ当たりの制動効果と仕上げ壁材との結合効果を更に向上する。
【発明を実施するための最良の形態】
【００１９】
以下、本発明を実施するための最良の形態を図１乃至図１２に基づき説明する。
【００２０】
前記のように、この種出隅壁又は入隅壁の角仕上げ用埋込定規は、図１，図２に示す未仕上げ出隅壁１又は未仕上げ入隅壁２の角縁面に沿って延び、同角縁面に添設される取付部３を有すると共に、未仕上げ出隅壁１の角部稜線４又は未仕上げ入隅壁２の角部谷線５に沿って延び、角部稜線４又は角部谷線５の前方へ突出された定規部６を有し、全体を合成樹脂にて一体成形して上記取付部３と定規部６とを形成したものである。
【００２１】
本発明に係る出隅壁又は入隅壁の角仕上げ用埋込定規は、上記定規部６に少なくともその先端定規縁７を覆う網材９を貼付し、上記仕上げ壁材８の塗布作業に供したものである。
【００２２】
好ましくは、上記網材９は上記定規部６の定規縁７と左右側面１０，１１を覆いつつ、上記取付部３の表面を覆うように貼付する。
【００２３】
例えば図１に示すように、上記埋込定規を特許文献１と３に示す一定の開角を以って曲成した左右一対の板から成る取付部３と、該左右取付部３の角部から前方へ突設した定規部６とを一体成形構造にし、図１Ａに示すように、上記網材９を上記定規部６の定規縁７と左右側面１０，１１、更には上記左右取付部３の表面（仕上げ壁材８を塗布する側の表面）を覆うように貼付する。又は図１Ｂに示すように、上記網材９を上記定規部６の定規縁７と左右側面１０，１１を覆うように貼付する。
【００２４】
又は図２に示すように、上記埋込定規を特許文献２に示す単一の板から成る取付部３と、該取付部３の一端縁から所定の屈曲角を以って曲成し前方へ突設した定規部６とを合成樹脂にて一体成形構造にし、上記網材９を上記定規部６の定規縁７と左右側面１０，１１、更には上記左右取付部３の表面（仕上げ壁材８を塗布する側の表面）を覆うように貼付する。
【００２５】
又上記各形態の先端定規縁７を弧形又は三角形の定規縁とし、該弧形又は三角形の先端定規縁７の頂面並びに定規部６側面、又は弧形又は三角形の先端定規縁７の頂面と定規部６側面と取付部３表面を覆うように上記網材９を貼付する。
【００２６】
上記網材９を取付部３の表面をも覆うように貼付する場合には、取付部３の自由端縁に亘る表面全体に貼付する。又は定規部６を覆う網材９の端縁を、取付部３の定規部６との連設部付近に亘る表面に貼付する。
【００２７】
定規部６が充分な突出幅を有する場合には、上記網材９を定規部６の先端定規縁７とその側面を覆うように貼付する場合を含む。つまり網材９を定規部６に跨装するように、先端定規縁７と定規部側面１０，１１に亘り貼付する。
【００２８】
上記網材９は小幅で長尺のテープ状網材である。例えば上記網材９は角仕上げ用埋込定規の合成樹脂による一体成形時、即ち連続押し出し成形時に原反ロールからテープ状の網材９を巻出しつつ、未硬化状態の定規部６及び取付部３の表面に押し付けて埋込定規の母材を介し貼付する。
【００２９】
又は図１３に示すように、上記網材９の網目形成線材９′の周面に事前に常粘性接着剤１２を塗布したものを用い、該網材９を該常粘性接着剤１２を以って上記定規部６及び取付部３の表面に貼付する。
【００３０】
又上記網材９としては、正格子網材、斜め格子網材、亀甲網材等を適用でき、好ましくは図１３に示す縦横の網目形成線材９′を上下に交差するように編成し網目１３を形成した編成網材を用いる。
【００３１】
又網材９は綿製の網目形成線材又は合成樹脂製の網目形成線材又は金属製の網目形成線材から成る網材の適用が可能であり、材質を問わない。好ましくは網目形成線材９′として綿糸から成る網材を用い、モルタル等の仕上げ壁材８との結合力を強化する。
【００３２】
図９Ａ，図１０Ａ，図１１Ａに示すように、上記埋込定規は取付部３の背面をモルタル等の接着剤を介し、未仕上げ出隅壁１又は未仕上げ入隅壁２の角縁面１４に添着し、又は釘打ち等にて取り付け、定規部６を角部稜線４又は角部谷線５から全体を突出した状態を形成する。
【００３３】
次に図９Ｂ，図１０Ｂ，図１１Ｂに示すように、網材９で被着された定規部６の先端定規縁７を基準として仕上げ壁材８をコテを用いて未仕上げ壁の壁面へ塗布し、全体を該仕上げ壁材８内に埋設する。
【００３４】
仕上げ壁材８は上記網材９の網目１３内へ浸入し、該網材９を介して定規部６表面に強く結合する。この時、仕上げ壁材８を定規部６の網材９で覆われた先端定規縁７を覆うように薄く塗布し、定規縁被覆層８′を形成する。
【００３５】
この定規縁被覆層８′も網材９内に浸入し、網材９を介して先端定規縁７の表面と強く結合し、被覆状態を健全に維持する。
【００３６】
上記定規部６の先端定規縁７に網材９が存在することによりコテ先に適度な制動作用が働き、上記コテ滑りを良好に防止し、定規縁７付近の仕上げ壁材のコテ均し作業が容易且つ適正に行える。
【００３７】
加えて定規縁７における仕上げ壁材８の結合力が大幅に向上する。この結果、前記均し不良、ひび割れ、肌別れ等の問題を適切に防止できる。
【００３８】
更には前記の通り、定規縁７の表面に仕上げ壁材８を薄く塗布でき、薄く塗布してもその塗布状態を健全に維持し、埋込定規の先端定規縁７を仕上げ壁材８内に完全隠蔽し、美観を高めることができる。
【００３９】
又網材９を定規部６から取付部３の表面を覆うように貼付することにより、定規部６を境にする仕上げ壁材８の定規部６及び取付部３との結合力を確保し、硬化後の肌別れを有効に防止する。
【００４０】
又網材９を接着剤を用いて接着する場合、事前に網目形成線材の周面に常粘性接着剤１２を塗布した網材９を用いることにより、網目１３が健全に維持され、仕上げ壁材８の良好な食い付き効果が得られる。
【００４１】
又接着剤を用いずに上記網材９を埋込定規の母材を接着媒体として貼付することにより、定規の生産性を向上する。
【００４２】
又編成網材を用いることにより、線材９′の交差部における凹凸によりコテ当たりの制動効果と仕上げ壁材との結合効果を更に向上する。
【００４３】
特許文献１乃至３に示し、図５，図７に示すように、上記埋込定規の取付部３又は／及び定規部６には多数の貫通孔１５を設けて仕上げ壁材８との結合力を強化すると共に、該貫通孔１５の開口面を上記網材９にて覆い、網目１３を通して貫通孔１５内に仕上げ壁材８が浸入する構成とする。
【００４４】
又は図６，図８に示すように、網材９を貼付した後、網材９を打ち抜く上記貫通孔１５を穿孔し、貫通孔１５の開口面を網材９で覆わない構成にし、貫通孔１５内に仕上げ壁材８が直接浸入する構成とする。
【００４５】
又特許文献１乃至３に示し、図３，図４に示すように、上記埋込定規の取付部３又は／及び定規部６の表面に長手方向に亘る複数の低背リブ１６を設けて仕上げ壁材８との結合力を強化し、上記網材９を該低背リブ１６の表面に貼付し、低背リブ１６間の凹部１７と網材９との間に空間を形成し、網材９を通して凹部１７内へ仕上げ壁材８が浸入する構成とする。
【図面の簡単な説明】
【００４６】
【図１】Ａ，Ｂは出隅壁又は入隅壁の角仕上げ用埋込定規の一例を、網材の異なる貼付例を以って示す斜視図。
【図２】出隅壁又は入隅壁の角仕上げ用埋込定規の他例を示す斜視図。
【図３】出隅壁又は入隅壁の角仕上げ用埋込定規における網材の貼付構造例を、図１に示す埋込定規を以って示す断面図。
【図４】出隅壁又は入隅壁の角仕上げ用埋込定規に網材を貼付した構造例を、図２の埋込定規を以って示す断面図。
【図５】出隅壁又は入隅壁の角仕上げ用埋込定規に貫通孔を設けて網材を貼付した構造例を、図１の埋込定規を以って示す断面図。
【図６】出隅壁又は入隅壁の角仕上げ用埋込定規に貫通孔を設けて網材を貼付した他の構造例を、図１の埋込定規を以って示す断面図。
【図７】出隅壁又は入隅壁の角仕上げ用埋込定規に貫通孔を設けて網材を貼付した構造例を、図２の埋込定規を以って示す断面図。
【図８】出隅壁又は入隅壁の角仕上げ用埋込定規に貫通孔を設けて網材を貼付した他の構造例を、図２の埋込定規を以って示す断面図。
【図９】Ａ，Ｂは出隅壁の角仕上げ用埋込定規を用いた角仕上げ工程を、図１の埋込定規を以って示す断面図。
【図１０】Ａ，Ｂは出隅壁の角仕上げ用埋込定規を用いた角仕上げ工程を、図２の埋込定規を以って示す断面図。
【図１１】Ａ，Ｂは入隅壁の角仕上げ用埋込定規を用いた角仕上げ工程を、図２の埋込定規を以って示す断面図。
【図１２】出隅壁又は入隅壁の角仕上げ用埋込定規の定規縁における仕上げ壁材の塗布状態を示す拡大断面図。
【図１３】Ａは上記網材の平面図、Ｂは該網材の編成状態と常粘性接着剤を塗布した状態を示す拡大断面図。
【符号の説明】
【００４７】
１…出隅壁、２…入隅壁、３…取付部、４…角部稜線、５…角部谷線、６…定規部、７…先端定規縁、８…仕上げ壁材、８′…定規縁被覆層、９…網材、９′…網目形成線材、１０…定規部の左側面、１１…定規部の右側面、１２…常粘性接着剤、１３…網目、１４…角縁面、１５…貫通孔、１６…低背リブ、１７…凹部
【図１】
2006161511.tif 000003
【図２】
2006161511.tif 000004
【図３】
2006161511.tif 000005
【図４】
2006161511.tif 000006
【図５】
2006161511.tif 000007
【図６】
2006161511.tif 000008
【図７】
2006161511.tif 000009
【図８】
2006161511.tif 000010
【図９】
2006161511.tif 000011
【図１０】
2006161511.tif 000012
【図１１】
2006161511.tif 000013
【図１２】
2006161511.tif 000014
【図１３】
2006161511.tif 000015